(57)【要約】【課題】簡易製造型のレジ籠袋を提供する。【解決手段】袋体１の開口状態で突出する側縁２へ連結帯３を設け、袋体１の天縁を袋折して返し帯５を形成し、返し帯５へ持ち手４を形成した事で、持ち手４は折り畳まれ、側縁２が開口状態で突出するので、レジ籠へ袋体１を収納すれば、レジ籠の縁が袋体１の側縁２を押圧して側辺１３が屈折し、開口部１７が開口し、精算の終了した商品をレジで直接詰め込んでもらった後、連結帯３どうしを結んで連結する事で側縁２の突出は抑制される。袋体１の製造は、溶断と溶着を同時に行う型抜きで行うので、製造が簡単で、量産が可能になる。【選択図】  図１
2010149890.tif 000002
【特許請求の範囲】
【請求項１】
袋体１の開口状態で突出する側縁２へ連結帯３を設け、持ち手４を収納した状態で設けた事を特徴とするレジ籠袋。
【請求項２】
袋体１の天縁を袋折して返し帯５を形成し、返し帯５へ持ち手４を形成した事で、持ち手４が収納状態になった事を特徴とする、請求項１記載のレジ籠袋。
【発明の詳細な説明】
【技術分野】
【０００１】
本発明は、レジ横の籠にセットして、精算済み商品を直接詰め込んで使用するレジ籠袋に関する物である。
【背景技術】
【０００２】
従来のレジ籠袋は、袋体の上部に対辺で突出した延長片を、籠の天縁へ掛けて袋体をセットし、紐を引き上げる事によって、紐は移動穴をスライドして上段滑部へ移動し、延長片を引寄せて閉じると同時に、側壁どうしを引寄せる構造であった。
【特許文献１】特開２００７−３１９４３８号
【発明の開示】
【発明が解決しようとする課題】
【０００３】
従来技術は、延長片を突出させたり、紐を通したりするなど、製造に手間が掛かり、機械での自動製造には不向きであった。本発明では、前記の問題解決を課題にする。
【課題を解決するための手段】
【０００４】
側縁を合着して袋体を形成し、袋体の側縁下部の外側は切り離すが、側縁上部を切り残す事によって連結帯を延設し、袋体上部を袋折して形成した返し帯へ持ち手を設ける。
【発明の効果】
【０００５】
側縁合着で袋体を形成した事によって、袋体の開口状態で側縁は自然に突出し、連結帯を延設した事によって側縁上部を引き寄せる事ができ、延設によって連結帯を形成できるので紐を通す手間が不要になり、返し帯に持ち手を設けた事で、持ち手を収納できるので、籠に袋体をセットしても持ち手が突出していないので商品詰め込みの邪魔にならず、詰め込みが終了して持ち上げる時には、収納されていた持ち手が袋体の上辺よりも高い位置にあるので、収納物が満杯状態であっても、対面で位置している持ち手どうしを束ねて持つ事ができ、延長片を突出させたり、紐を通したりするなどの手間を省けるので、機械での自動製造が可能になる。
【発明を実施するための最良の形態】
【０００６】
最良の形態を、図１から図６を参照しながら、以下の実施例で説明する。
【実施例１】
【０００７】
図１は、開口状態正面斜視図であり、レジ籠は図示していないが、この状態でレジ籠内へ重ねてセットするのであり、折線は一点鎖線で表示し、山折谷折で表示する折り曲げ方向は外側からを基準にし、素材は限定ではなく、紙や布などであっても良いが、ポリなどの人工樹脂が望ましく、縁や面どうしを接合する合着方法は素材によって対応する事から限定ではなく、布では縫合、紙では接着や粘着によって合着するのであり、望ましい素材がポリである事から溶着と溶断（溶かして切断）を合着方法の代表とする。
【０００８】
袋体１に於いて、上部の袋折辺１１を袋折して返し帯５を形成し、底壁６はマチ形状の如く逆さＶ字に折り込み可能であり、側縁２を溶断して袋形状を成し、返し帯５の形成は袋体１の内面へ折り返しても良いが、外面へ折り返す事が望ましく、返し帯５は単層であっても良いが、二重などの多重にする事が強度的に望ましい。
【０００９】
側縁２へ取り付ける連結帯３は別具の紐やテープなどであっても良いし、側縁２へテープを被せて縫合し、その被せたテープをそのまま上方へ延長して連結帯３にしても良いし、望ましくは、側縁２の上部に未断域７を設け、未断域７を介して連結域３を延設する事であり、未断域７は溶着されていても良いが、溶着しないで分離部８にする事が望ましく、分離部８の下端辺りから連結帯３の外縁へ向けて下がった角度で入れ折線９を設ける事が望ましく、連結帯３へ連結穴１０を設けても良く、連結帯３どうしは結ばれて連結する構造が望ましいのであるが、結び作業を省略する場合、又は結び作業が困難か不可能な場合などは、連結穴１０へ他方の連結帯３を通して連結しても良い。
【００１０】
持ち手４は、周囲壁１４の上部へ別具の紐やテープを取り付けても良く、返し帯５にだけ持ち手穴を打抜いても良いが、返し帯５と周囲壁１４の上部とを重ねた状態の同形状で打抜く事が望ましく、返し帯５は単層で図示しているが、返し帯５の下辺を袋折した二重構造である事が強度的や感触的にも望ましく、返し帯５の下辺は溶着しない事が望ましく、返し帯５の折り返し固定は側縁２の溶断によって行う事が望ましく、持ち手４の形状は限定でない事から丸であっても良いが、角の丸い四角形である事が望ましく、袋折辺１１の中央を分断して持ち手４を打抜く事が望ましく、返し帯５に持ち手４が有しているので、袋折辺１１よりも上に持ち手４が突出しない折り畳み収納状態を保持でき、持ち手４が収納状態である事から、レジでの精算物収納作業の邪魔にならない。
【００１１】
袋体１の上辺である袋折辺１１は、放置状態では直線に近い形状であるが、袋体を籠に収納する事で側縁２が籠の縁に押圧されて袋折辺１１は屈折し、袋折辺１１の屈折箇所を定位置にする目的で折点部１２を入れる事が望ましく、折点部１２は部分的な溶着であっても良いが、袋折辺１１を小さく分断した穴である事が望ましく、折点部１２を設けた事で底壁６の角とを繋ぐ側辺１３が山折になって袋体１は膨らんで開口部１７は開口し、袋体１の周囲壁１４に於いて、側辺１３を区分線として正面と背面の対面領域両方を持ち手壁１５とし、側辺１３を介する持ち手壁１５の両側外領域を側壁１６とし、側壁１６の中央は天地方向へ伸びた側縁２の縁が溶着された山折線になっている。
【００１２】
図２は、連結帯の結び状態正面斜視図であり、図示していないが、袋体１の中には収納物が多数詰め込まれた状態にしており、収納物による内圧で周囲壁１４は外方へ膨れ出ようとしているが、側壁１６の膨出は連結帯３の連結によって防止され、連結帯３は結び部１８によって連結される事が望ましく、側縁２の上部を未溶着にする事で形成した分離部８は、連結帯３の折り込み時に分離し、同時に入れ折線９も谷折されるので連結帯３の折り込みはスムーズになる他、連結帯３を連結しない状態であっても、袋体１の内部へ連結帯３を垂らした状態で収納し易くできる。
【００１３】
図３は、持ち上げ状態正面斜視図であり、返し帯５の中央を持ち上げる事で、二つ折りの収納状態だった持ち手４が上方へ広がり、広がった持ち手４は袋折辺１１より上に位置し、上位置なので袋体１への収納物が満杯状態であっても持ち手４どうしを重ねて持ち上げる事ができ、持ち手４の穴が大きな面積で開くので、指先を通して握れる他に、腕を通してヒジに掛ける事も可能になり、持ち手４で切り取られた残りの返し帯５は適宜な幅を有しているので、持ち手４と接する手や腕への食い込みが少なく、楽に持ち運ぶ事ができる。
【００１４】
図４は、平畳み状態斜視図であり、連結帯３と側縁２との縁を溶断線２２（太線で表示）で溶断し、入れ折線９から上の領域は溶断ではなくて切断にする事で分離部８を形成し、分離部８の切断周囲形状は角張っていても良いが、円周形状が望ましく、袋折辺１１を部分的に小さく分離して折点部１２を打抜き、製造方法は返し帯５を折り返して底折線１９を谷折して折り込んだ状態で溶断と切断とを同時に行う型抜きである事が望ましく、型抜き製法なので連結帯３上方の入れ折線９の下まで返し帯５の端が重なっており、底壁６の両側辺を側底辺２０とし、側底辺２０は側壁１６の下辺と分離していても良いが接している事が望ましく、側底辺２０と側壁１６の下辺とが接した状態ならば、側底辺２０の両端と側縁２の途中箇所とを繋いで三角域２１が形成され、この三角域２１の領域内を溶着しても良いし、側底辺２０と側壁１６の下辺とを直接溶着しても良く、三角域２１が形成された状態では、側縁２の下端どうしを繋ぐ谷折が底折線１９になる。
【００１５】
図５は、巻き畳み状態斜視図であり、巻き方は限定ではないが、底折線19で二つ折りにした底壁６を芯にして周囲壁１４を巻き、返し帯５を外側にして二つに折り曲げ、連結帯３を重ねた状態で結んで固定した巻き畳み構造が望ましく、巻いて二つ折りにした事によって、腕を通して携帯し易くなる。
【００１６】
図６は、展開状態平面図であり、返し帯５は単層で図示しているが二重である事が望ましく、展開状態に打抜いて縁を溶着する製造方法であっても良いが、側底辺２０と側壁１６の下辺とを離した平畳み状態で、溶断（太線表示）と切断を同時に行う型抜きをするのが望ましく、持ち手４は袋折辺１１を中心線として返し帯５を袋折する事で半分に折り畳まれ、袋折辺１１線上の折点部１２は適宜に小さな円形状である事が望ましく、折点部１２と側底辺２０の端とを繋ぐ山折線で側辺１３を入れても良いが、図１のように立体的にすれば自然に側辺１３が折れ曲がるので、側辺１３の折線を展開図では入れなくても良く、型抜きをされた後で、最後に側底辺２０を隣接して溶着し、完成する。
【産業上の利用可能性】
【００１７】
本発明物は、レジ籠袋としての用途が望ましいのであるが、一般的な袋や鞄にも適応できる。
【図面の簡単な説明】
【００１８】
【図１】開口状態正面斜視図（実施例１）
【図２】連結帯の結び状態正面斜視図
【図３】持ち上げ状態正面斜視図
【図４】平畳み状態斜視図
【図５】巻き畳み状態斜視図
【図６】展開状態平面図
【符号の説明】
【００１９】
１  袋体
２  側縁
３  連結帯
４  持ち手
５  返し帯
【図１】
2010149890.tif 000003
【図２】
2010149890.tif 000004
【図３】
2010149890.tif 000005
【図４】
2010149890.tif 000006
【図５】
2010149890.tif 000007
【図６】
2010149890.tif 000008